【事件の表示】
　平成１０年特許願第１３６８４４号「結像光学系、撮像装置及び電子カメラ」拒絶査定不服審判事件〔平成１１年１１月２６日出願公開、特開平１１−３２６７６６〕について、次のとおり審決する。
【結　論】
　本件審判の請求は、成り立たない。
【理　由】
　
１．　手続の経緯
　本願は、平成１０年５月１９日の出願であって、平成１７年９月２１日付で拒絶査定がなされ、これに対して、平成１７年１０月２７日に拒絶査定不服審判がなされるとともに、平成１７年１１月１５日付で手続補正がなされたものである。
　
　
２．　平成１７年１１月１５日付の手続補正についての補正却下の決定
　
［補正却下の決定の結論］
　平成１７年１１月１５日付けの手続補正を却下する。
　
［理由］
　
（１）補正後の本願発明
　
　平成１７年１１月１５日付の手続補正（以下、「本件補正」という。）は、平成１７年８月２９日付の手続補正により補正された明細書の特許請求の範囲の
「【請求項１】　物体像を形成する結像光学系において、前記結像光学系が、絞りと、絞りよりも物体側に配置された物体側反射面と、絞りよりも像側に配置された像側反射面とを含み、
　前記物体側反射面と前記像側反射面とが共に、反射時に光束にパワーを与える非球面にて構成された結像光学系において、
　前記物体側反射面と前記像側反射面との間に高周波成分をカットするローパスフィルターを設け、かつ、前記像側反射面と結像面のカバーガラスとの間には光学素子を配置しないことを特徴とする結像光学系。
　　【請求項２】　物体像を形成する結像光学系において、前記結像光学系が、絞りと、絞りよりも物体側に配置された第１プリズムと、絞りよりも像側に配置された第２プリズムとを含み、
　前記第１プリズムは、プリズム内の光束を反射し、その反射時に光束にパワーを与える非球面形状の物体側反射面を有し、
　前記第２プリズムは、プリズム内の光束を反射し、その反射時に光束にパワーを与える非球面形状の像側反射面を有する結像光学系において、
　前記物体側反射面と前記像側反射面との間に高周波成分をカットするローパスフィルターを設け、かつ、前記第２プリズムと結像面のカバーガラスとの間には光学素子を配置しないことを特徴とする結像光学系。
　　【請求項３】　請求項２において、前記ローパスフィルターが、前記第１プリズムと前記第２プリズムとの間に配置されていることを特徴とする結像光学系。
　　【請求項４】　請求項２において、前記ローパスフィルターが、前記第２プリズムの入射面に形成されていることを特徴とする結像光学系。
　　【請求項５】　請求項２において、前記ローパスフィルターが、前記第１プリズムの射出面に形成されていることを特徴とする結像光学系。
　　【請求項６】　請求項１から３の何れか１項において、前記ローパスフィルターが、前記絞りの上あるいはその近傍に配置されていることを特徴とする結像光学系。
　　【請求項７】　請求項２から６の何れか１項において、前記第１プリズムの物体側反射面と前記第２プリズムの像側反射面の中、少なくとも一方の面が、透過作用と反射作用とを兼用する面にて形成されていることを特徴とする結像光学系。
　　【請求項８】　請求項２から６の何れか１項において、前記第１プリズムの物体側反射面と前記第２プリズムの像側反射面とが共に、透過作用と反射作用とを兼用する面にて形成されていることを特徴とする結像光学系。
　　【請求項９】　請求項７又は８において、前記透過作用と反射作用とを兼用する面が全反射面にて形成されていることを特徴とする結像光学系。
　　【請求項１０】　請求項１から９の何れか１項において、前記ローパスフィルターが位相型の光学的ローパスフィルターにて形成されていることを特徴とする結像光学系。
　　【請求項１１】　請求項１から１０の何れか１項において、前記非球面反射面の少なくとも１面が光軸に対して偏心配置され、その面形状が回転非対称な曲面にて形成されたことを特徴とする結像光学系。
　　【請求項１２】　請求項１１において、前記回転非対称な曲面反射面が、対称面を１面のみ備えた面対称自由曲面にて形成され、パワーを持った偏心面で発生する偏心収差を補正するように構成されたことを特徴とする結像光学系。
　　【請求項１３】　請求項１から１０の何れか１項において、前記物体側反射面と前記像側反射面とが共に、対称面を１面のみ備えた面対称自由曲面にて形成され、
　前記物体側反射面の面対称自由曲面と前記像側反射面の面対称自由曲面とが共に、唯一の対称面を略同一平面上に配置して構成されたことを特徴とする結像光学系。
　　【請求項１４】　請求項２から９の何れか１項において、前記第１プリズムは、反射面を少なくとも２面有し、前記少なくとも２面の反射面が共に光束にパワーを与えると共に収差を補正する作用を持った回転非対称な曲面形状に形成されていることを特徴とする結像光学系。
　　【請求項１５】　請求項２から９の何れか１項において、前記第２プリズムは、反射面を少なくとも２面有し、前記少なくとも２面の反射面が共に光束にパワーを与えると共に収差を補正する作用を持った回転非対称な曲面形状に形成されていることを特徴とする結像光学系。
　　【請求項１６】　請求項１４又は１５において、前記プリズム中に設けられた少なくとも２面の反射面の回転非対称な曲面形状が、対称面を１面のみ備えた面対称自由曲面にて形成され、かつ、前記唯一の対称面が略同一平面上に配置されたことを特徴とする結像光学系。
　　【請求項１７】　請求項１から１６の何れか１項において、前記結像光学系が、像面上に電子撮像素子を配置し、前記電子撮像素子が、四角形にて形成され、前記面対称自由曲面の唯一の対称面が、前記四角形の少なくとも一辺と略平行な位置に形成されるように構成されていることを特徴とする結像光学系。
　　【請求項１８】　請求項１から１７の何れか１項において、単焦点光学系として構成されていることを特徴とする結像光学系。
　　【請求項１９】　請求項１から１８の何れか１項記載の結像光学系が撮像装置の撮像部に配置されていることを特徴とする撮影装置。
　　【請求項２０】　請求項１９記載の撮影装置がカメラ機構を備えていることを特徴とするカメラ装置。
　　【請求項２１】　請求項１から１８の何れか１項記載の結像光学系が撮像部の対物光学系に組み込まれ、前記対物光学系にカバー部材が配置されていることを特徴とする電子カメラ。」
を、
「【請求項１】　物体像を形成する結像光学系において、前記結像光学系が、絞りと、絞りよりも物体側に配置された第１プリズムと、絞りよりも像側に配置された第２プリズムとを含み、
　前記第１プリズムは、プリズム内の光束を反射し、その反射時に光束にパワーを与える非球面形状の物体側反射面を有し、
　前記第２プリズムは、プリズム内の光束を反射し、その反射時に光束にパワーを与える非球面形状の像側反射面を有する結像光学系において、
　一方のプリズムの光学的性能を受けない側面には第１の取り付け片を配置し、前記第１の取り付け片は他方のプリズム方向へ伸長しその先端に突起を有し、前記他方のプリズムの光学的性能を受けない側面には第２の取り付け片を配置し、前記第２の取り付け片には、前記突起を受け入れる嵌め込み部を配置し、
　前記物体側反射面と前記像側反射面との間に高周波成分をカットするローパスフィルターを設け、かつ、前記第２プリズムと結像面のカバーガラスとの間には光学素子を配置しないことを特徴とする結像光学系。
　　【請求項２】　請求項１において、前記ローパスフィルターが、前記第１プリズムと前記第２プリズムとの間に配置されていることを特徴とする結像光学系。
　　【請求項３】　請求項１において、前記ローパスフィルターが、前記第２プリズムの入射面に形成されていることを特徴とする結像光学系。
　　【請求項４】　請求項１において、前記ローパスフィルターが、前記第１プリズムの射出面に形成されていることを特徴とする結像光学系。
　　【請求項５】　請求項１又は２において、前記ローパスフィルターが、前記絞りの上あるいはその近傍に配置されていることを特徴とする結像光学系。
　　【請求項６】　請求項１から５の何れか１項において、前記第１プリズムの物体側反射面と前記第２プリズムの像側反射面の中、少なくとも一方の面が、透過作用と反射作用とを兼用する面にて形成されていることを特徴とする結像光学系。
　　【請求項７】　請求項１から５の何れか１項において、前記第１プリズムの物体側反射面と前記第２プリズムの像側反射面とが共に、透過作用と反射作用とを兼用する面にて形成されていることを特徴とする結像光学系。
　　【請求項８】　請求項６又は７において、前記透過作用と反射作用とを兼用する面が全反射面にて形成されていることを特徴とする結像光学系。
　　【請求項９】　請求項１から８の何れか１項において、前記ローパスフィルターが位相型の光学的ローパスフィルターにて形成されていることを特徴とする結像光学系。
　　【請求項１０】　請求項１から９の何れか１項において、前記非球面反射面の少なくとも１面が光軸に対して偏心配置され、その面形状が回転非対称な曲面にて形成されたことを特徴とする結像光学系。
　　【請求項１１】　請求項１０において、前記回転非対称な曲面反射面が、対称面を１面のみ備えた面対称自由曲面にて形成され、パワーを持った偏心面で発生する偏心収差を補正するように構成されたことを特徴とする結像光学系。
　　【請求項１２】　請求項１から９の何れか１項において、前記物体側反射面と前記像側反射面とが共に、対称面を１面のみ備えた面対称自由曲面にて形成され、
　前記物体側反射面の面対称自由曲面と前記像側反射面の面対称自由曲面とが共に、唯一の対称面を略同一平面上に配置して構成されたことを特徴とする結像光学系。
　　【請求項１３】　請求項１から８の何れか１項において、前記第１プリズムは、反射面を少なくとも２面有し、前記少なくとも２面の反射面が共に光束にパワーを与えると共に収差を補正する作用を持った回転非対称な曲面形状に形成されていることを特徴とする結像光学系。
　　【請求項１４】　請求項１から８の何れか１項において、前記第２プリズムは、反射面を少なくとも２面有し、前記少なくとも２面の反射面が共に光束にパワーを与えると共に収差を補正する作用を持った回転非対称な曲面形状に形成されていることを特徴とする結像光学系。
　　【請求項１５】　請求項１３又は１４において、前記プリズム中に設けられた少なくとも２面の反射面の回転非対称な曲面形状が、対称面を１面のみ備えた面対称自由曲面にて形成され、かつ、前記唯一の対称面が略同一平面上に配置されたことを特徴とする結像光学系。
　　【請求項１６】　請求項１から１５の何れか１項において、前記結像光学系が、像面上に電子撮像素子を配置し、前記電子撮像素子が、四角形にて形成され、前記面対称自由曲面の唯一の対称面が、前記四角形の少なくとも一辺と略平行な位置に形成されるように構成されていることを特徴とする結像光学系。
　　【請求項１７】　請求項１から１６の何れか１項において、単焦点光学系として構成されていることを特徴とする結像光学系。
　　【請求項１８】　請求項１から１７の何れか１項記載の結像光学系が撮像装置の撮像部に配置されていることを特徴とする撮影装置。
　　【請求項１９】　請求項１８記載の撮影装置がカメラ機構を備えていることを特徴とするカメラ装置。
　　【請求項２０】　請求項１から１７の何れか１項記載の結像光学系が撮像部の対物光学系に組み込まれ、前記対物光学系にカバー部材が配置されていることを特徴とするカメラ装置。」
と補正することを含むものである。
　
　
（２）本件補正についての検討
　
　
　本件補正が特許法第１７条の２第４項の規定に適合するか否かを検討する。
　本件補正の特許請求の範囲についての補正は、以下のａ．からｃ．に示すとおりのものである。
　
ａ．　本件補正前の請求項１を削除する補正。
　
ｂ．　上記ａ．の補正に伴って、本件補正前の請求項２ないし請求項２１を、項番を繰り上げ、かつ、引用請求項について、ａ．の補正及び前記項番を繰り上げたことに伴い、引用元の請求項の項番を繰り上げて、本件補正後の請求項１ないし２０とする補正。
　
ｃ．　本件補正前の請求項２に、「一方のプリズムの光学的性能を受けない側面には第１の取り付け片を配置し、前記第１の取り付け片は他方のプリズム方向へ伸長しその先端に突起を有し、前記他方のプリズムの光学的性能を受けない側面には第２の取り付け片を配置し、前記第２の取り付け片には、前記突起を受け入れる嵌め込み部を配置し、」という事項を追加する補正。
　
　上記ａ．からｃ．の各補正のうち、ｃ．の補正は、本件補正前の請求項２において記載されていない、一方のプリズムと他方のプリズムとの嵌合状態を特定するものであって、本件補正前の請求項２に係る発明の発明特定事項の一部を概念的に下位のものに限定しているとはいえない。
　そして、上記ｃ．の補正は、２つのプリズムを機械的に一体化され、光軸、間隔がずれることがなく、また、組立が容易になるという、本件補正前の請求項に記載された発明の解決しようとする課題とは異なる新たな課題を提起するものであり、本件補正前と本件補正後の発明の解決しようとする課題が同一であるとはいえない。
　したがって、上記ｃ．の補正は、特許法第１７条の２第４項第２号の規定に適合しない。
　そして、上記ｃ．の補正は、特許法第１７条の２第４項第１号、第３号及び第４号の規定に適合しないことは明らかである。
　
　
（３）むすび
　
　以上のとおり、本件補正は、特許法第１７条の２第４項の規定に違反するので、特許法第１５９条第１項において読み替えて準用する特許法第５３条第１項の規定により却下されるべきものである。　
　
　
３．本願発明について
　
　平成１７年１１月１５日付の手続補正は上記のとおり却下されたので，本願の請求項１に係る発明（以下、「本願発明」という。）は、平成１７年８月２９日付の手続補正書の特許請求の範囲の請求項１に記載された事項により特定される、以下のとおりのものである。
　「物体像を形成する結像光学系において、前記結像光学系が、絞りと、絞りよりも物体側に配置された物体側反射面と、絞りよりも像側に配置された像側反射面とを含み、
　前記物体側反射面と前記像側反射面とが共に、反射時に光束にパワーを与える非球面にて構成された結像光学系において、
　前記物体側反射面と前記像側反射面との間に高周波成分をカットするローパスフィルターを設け、かつ、前記像側反射面と結像面のカバーガラスとの間には光学素子を配置しないことを特徴とする結像光学系。」
　
　
４．　引用例
　
　原査定の拒絶の理由に引用された特開平１０−２０１９６号公報（以下、「引用例１」という。）には、図面の図示とともに次の事項が記載されている。
　
（１）「【請求項７】　物体よりでて変倍光学系に入り、該変倍光学系内の絞り中心を通って最終像面の中心に至る光線を基準軸光線とし、該変倍光学系の各面、各光学素子、各群に入射する基準軸光線をその面、光学素子、群の入射基準軸とし、各面、各光学素子、各群から射出する基準軸光線をその面、光学素子、群の射出基準軸とし、該入射基準軸と各面の交点を基準点、該入射基準軸、射出基準軸において該基準軸光線が物体側から像面に向って進む方向を入射基準軸の方向、射出基準軸の方向として、
該基準軸光線に沿って物体側から順に第1 Off-Axial 光学素子、該絞り、第2Off-Axial 光学素子及び共軸光学素子を配置し、このうちの少なくとも1 つのOff-Axial 光学素子と該共軸光学素子の移動により変倍を行なうことを特徴とする変倍光学系。
【請求項８】　前記第1 および第2 Off-Axial 光学素子は透明体の表面に2つの屈折面と2 つのOff-Axial 反射面を一体的に形成した光学素子であることを特徴とする請求項７の変倍光学系。
【請求項９】　前記第1 及び第2 Off-Axial 光学素子の入射基準軸と射出基準軸の方向は夫々平行であることを特徴とする請求項８の変倍光学系。
【請求項１０】　前記第1 Off-Axial 光学素子、前記絞り及び前記第2 Off-Axial 光学素子は変倍に際して一体で移動することを特徴とする請求項９の変倍光学系。
【請求項１１】　変倍に際し前記第1 光学素子、前記第2 光学素子、前記共軸光学素子は夫々別々に移動することを特徴とする請求項９の変倍光学系。
【請求項１２】　前記第1 及び第2 Off-Axial 光学素子の入射基準軸と射出基準軸の方向は夫々直交しており、該第1 Off-Axial 光学素子、前記絞り及び該第2 Off-Axial 光学素子は変倍に際して一体で移動することを特徴とする請求項８の変倍光学系。
【請求項１３】　前記共軸光学素子は凹レンズであることを特徴とする請求項８〜１２のいずれか１項に記載の変倍光学系。
【請求項１４】　請求項１〜１３のいずれか１項に記載の変倍光学系を有し、撮像媒体の撮像面上に前記物体の像を結像することを特徴とする撮像装置。」
　
（２）「【００４０】更に、
（１−１）　複数の反射面に適切な屈折力を与えて、これを偏心配置したOff-Axial 光学素子を用いることにより、変倍光学系内の光路を所望の形状に屈曲し、該変倍光学系の所定方向の全長を短縮する。
（１−２）　1 つの透明体の表面に適切な屈折力を有する2 つの入・射出屈折面と、適切な屈折力を有し、基準軸に対して偏心配置した複数の反射面を形成したOff-Axial 光学素子を用いることにより、諸収差及び偏心収差を全変倍域にわたって良好に補正する。
（１−３）　1 つの透明体の表面に2 つの屈折面と複数の曲面や平面の反射面を一体的に形成したOff-Axial 光学素子を用いることにより変倍光学系全体の小型化を図りつつ、反射面を使用する際にありがちな反射面の厳しい配置精度（組立精度）の問題を解決する。等の少なくとも１つの効果を有する変倍光学系及びそれを用いた撮像装置の提供を目的とする。」
　
（３）「【００８４】[数値実施例1　]本数値実施例は実施形態1 の数値実施例であり、変倍比約1.9 の変倍光学系である。図7 、8 、9 は夫々本実施例の広角端(W) 、中間位置(M) 、望遠端(T) での光学断面図及び光路図である。
【００８５】
　　　　　　 広角端　　中間　　望遠端
　水平半画角　 27.2　　 21.6　　 14.4 
　垂直半画角　 18.9　　 14.6　　　9.7 
　絞り径　　　 8.00　　 8.00　　 8.00 
　 i　　 Yi　　 Zi(W)　 θi　　　Di　　Ndi　　　νdi
　　第1 光学素子B1
　 1　　0.00　　0.00　　0.00　 16.00　 1.51741　52.41　 屈折面
　 2　　0.00　 16.00　 30.00　 20.00　 1.51741　52.41　 反射面
　 3　-17.32　　6.00　 30.00　 16.00　 1.51741　52.41　 反射面
　 4　-17.32　 22.00　　0.00　　2.00　 1　　　　　　　　屈折面
　 5　-17.32　 24.00　　0.00　　2.00　 1　　　　　　　　絞り
　　第2 光学素子B2
　 6　-17.32　 26.00　　0.00　　8.00　 1.51741　52.41　 屈折面
　 7　-17.32　 40.00　-30.00　 20.00　 1.51741　52.41　 反射面
　 8　　0.00　 30.00　-30.00　 16.00　 1.51741　52.41　 反射面
　 9　　0.00　 46.00　　0.00　　変数　 1　　　　　　　　屈折面
　　第3 光学素子B3( 凹レンズ) 
　10　　0.00　 62.38　　0.00　　2.80　 1.83480　42.72　 屈折面
　11　　0.00　 65.18　　0.00　　変数　 1　　　　　　　　屈折面
　12　　0.00　 84.40　　0.00　　　　　 1　　　　　　　　像面
　　　　　広角端　　中間　　望遠端
　D 9　　　16.38　　11.60　　 5.58
　D11　　　19.22　　33.77　　69.22
　D 1 〜 9面　Zi(M) = Zi(W) - 9.76　　Zi(T) = Zi(W) - 39.20 
　D10 〜11面　Zi(M) = Zi(W) - 14.55　 Zi(T) = Zi(W) - 50.00 
　D12 面　　　Zi(M) = Zi(W)　　　　　 Zi(T) = Zi(W) 
　球面形状
　R 1 面　R1 = -70.000
　R 4 面　R4 =　∞
　R 6 面　R6 =　∞
　R 9 面　R9 = -30.024
　R10 面　R10= -34.943
　R11 面　R11= 262.245
　非球面形状
　R 2 面　C02= 1.17370e-02　C20= 6.60704e-03
・・・（略）・・・
　R 3 面　C02= 4.78752e-03　C20= 6.08577e-03
・・・（略）・・・
　R 7 面　C02=-6.10763e-03　C20= 6.78303e-04
　・・・（略）・・・
　R 8 面　C02=-8.05505e-03　C20= 2.18969e-03
・・・（略）・・・
本数値実施例の構成を物体側から順に説明する。B1は第1 光学素子であり、1つの透明体の表面に第1 面R1 (凹面の入射屈折面) と偏心した曲面の内面反射面である第2 面R2、第3 面R3と第4 面R4 (平面の射出屈折面) を形成している。なお、第2 面R2は凸反射面として作用する。第5 面R5は絞り面である。B2は第2 光学素子であり、1 つの透明体の表面に第6 面R6 (平面の入射屈折面) と偏心した曲面の内面反射面である第7 面R7、第8 面R8と第9 面R9 (凸面の射出屈折面) を形成している。なお、第8 面R8は凸反射面として作用する。B3は第3 光学素子であり、第10面R10 と第11面R11 とで共軸の凹レンズを形成している。第12面R12は最終像面であり、CCD 等の撮像媒体の撮像面が位置する。
【００８６】本数値実施例の第1 光学素子B1、絞りR5、第2 光学素子B2は全体として正の屈折力を有し、一体となって移動する第1 群 (前群) を構成しており、第3 光学素子B3は負の屈折力を有し、変倍に際して移動する第2 群 (後群) を構成している。
【００８７】以下、物体位置を無限遠としたときの結像作用について述べる。まず、物体からの光束は第1 光学素子B1に入射する。第1 光学素子B1では第1 面R1で屈折し、第2 面R2、第3 面R3で順次反射し、第4 面R4で屈折して、第1 光学素子B1を射出する。
【００８８】次に光束は絞りである第5 面R5を通過した後、第2 光学素子B2に入射する。第2 光学素子B2では第6 面R6で屈折し、第7 面R7、第8 面R8で順次反射し、第9 面R9で屈折して、第2 光学素子B2を射出する。
【００８９】次に光束は第3 光学素子B3に入射する。第3 光学素子B3では第10面R10 、第11面R11 で屈折して、第3 光学素子B3を射出する。
【００９０】そして、第3 光学素子B3を射出した光束は第12面R12 上に最終的に結像する。
【００９１】本数値実施例の第1 光学素子B1、第2 光学素子B2は夫々入射基準軸の方向と射出基準軸の方向とが同一方向のOff-Axial 光学素子である。
【００９２】次に、各群の移動による変倍作用について説明する。本数値実施例は物体側から順に正負の2 群で構成された2 群ズームであり、変倍に際しては広角端から望遠端に向って前群、後群共にZ マイナス方向に、且つ両群の間隔が狭まるように移動する。
・・・（略）・・・
【００９６】[数値実施例2 ]本数値実施例は実施形態2 の数値実施例であり、変倍比約1.9 の変倍光学系である。図13、14、15は夫々本実施例の広角端(W) 、中間位置(M) 、望遠端(T) での光学断面図及び光路図である。
【００９７】
　　　　　　　広角端　　中間　　望遠端
　水平半画角　 27.2　　 21.6　　 14.4 
　垂直半画角　 18.9　　 14.6　　　9.7 
　絞り径　　　 8.00　　 8.00　　 8.00 
　 i　　 Yi　　 Zi(W)　 θi　　　Di　　Ndi　　　νdi
　　第1 光学素子B1
　 1　　0.00　　0.00　　0.00　 16.00　 1.51741　52.41　 屈折面
　 2　　0.00　 16.00　 28.00　 17.00　 1.51741　52.41　 反射面
　 3　-14.09　　6.49　 73.00　 24.00　 1.51741　52.41　 反射面
　 4　　9.91　　6.49　 90.00　　2.00　 1　　　　　　　　屈折面
　 5　 11.91　　6.49　 90.00　　2.00　 1　　　　　　　　絞り
　　第2 光学素子B2
　 6　 13.91　　6.49　 90.00　 16.00　 1.51741　52.41　 屈折面
　 7　 35.91　　6.49　 70.00　 17.00　 1.51741　52.41　 反射面
　 8　 22.88　 -4.43　 25.00　 20.00　 1.51741　52.41　 反射面
　 9　 22.88　 15.57　　0.00　　変数　 1　　　　　　　　屈折面
　　第3 光学素子B3( 凹レンズ) 
　10　 22.88　 31.99　　0.00　　2.80　 1.83480　42.72　 屈折面
　11　 22.88　 34.79　　0.00　　変数　 1　　　　　　　　屈折面
　12　 22.88　 55.07　　0.00　　　　　 1　　　　　　　　像面
　　　　　広角端　　中間　　望遠端
　D 9　　　16.43　　11.93　　 6.30
　D11　　　20.28　　34.79　　70.28
　D 1 〜 9面　Zi(M) = Zi(W) - 10.01　 Zi(T) = Zi(W) - 39.88 
　D10 〜11面　Zi(M) = Zi(W) - 14.51　 Zi(T) = Zi(W) - 50.00 
　D12 面　　　Zi(M) = Zi(W)　　　　　 Zi(T) = Zi(W) 
　球面形状
　R 1 面　R1 = -60.000
　R 4 面　R4 =　∞
　R 6 面　R6 =　∞
　R 9 面　R9 = -35.226
　R10 面　R10= -42.989
　R11 面　R11=　94.318
　非球面形状
　R 2 面　C02= 1.79244e-02　C20=-1.52002e-04
・・・（略）・・・
　R 3 面　C02= 6.97073e-03　C20=-9.56998e-04
・・・（略）・・・
　R 7 面　C02=-8.55985e-03　C20=-2.21093e-03
・・・（略）・・・
　R 8 面　C02=-1.36422e-02　C20= 1.92964e-03
・・・（略）・・・
本数値実施例の構成を物体側から順に説明する。B1は第1 光学素子であり、1つの透明体の表面に第1 面R1 (凹面の入射屈折面) と偏心した曲面の内面反射面である第2 面R2、第3 面R3と第4 面R4 (平面の射出屈折面) を形成している。なお、第2 面R2は凸反射面として作用する。第5 面R5は絞り面である。B2は第2 光学素子であり、1 つの透明体の表面に第6 面R6 (平面の入射屈折面) と偏心した曲面の内面反射面である第7 面R7、第8 面R8と第9 面R9 (凸面の射出屈折面) を形成している。なお、第8 面R8は凸反射面として作用する。B3は第3 光学素子であり、第10面R10 と第11面R11 とで共軸の凹レンズを形成している。第12面R12は最終像面であり、CCD 等の撮像媒体の撮像面が位置する。
【００９８】本数値実施例の第1 光学素子B1、絞りR5、第2 光学素子B2は全体として正の屈折力を有し、一体となって移動する第1 群 (前群) を構成しており、第3 光学素子B3は負の屈折力を有し、変倍に際して移動する第2 群 (後群) を構成している以下、物体位置を無限遠としたときの結像作用について述べる。まず、物体からの光束は第1 光学素子B1に入射する。第1 光学素子B1では第1 面R1で屈折し、第2 面R2、第3 面R3で順次反射し、第4 面R4で屈折して、第1 光学素子B1を射出する。
【００９９】次に光束は絞りである第5 面R5を通過した後、第2 光学素子B2に入射する。第2 光学素子B2では第6 面R6で屈折し、第7 面R7、第8 面R8で順次反射し、第9 面R9で屈折して、第2 光学素子B2を射出する。
【０１００】次に光束は第3 光学素子B3に入射する。第3 光学素子B3では第10面R10 、第11面R11 で屈折して、第3 光学素子B3を射出する。
【０１０１】そして、第3 光学素子B3を射出した光束は第12面R12 上に最終的に結像する。
【０１０２】本数値実施例の第1 光学素子B1、第2 光学素子B2は夫々入射基準軸の方向と射出基準軸の方向とが直交するOff-Axial 光学素子である。
【０１０３】次に、各群の移動による変倍作用について説明する。本数値実施例は物体側から順に正負の2 群で構成された2 群ズームであり、変倍に際しては広角端から望遠端に向って前群、後群共にZ マイナス方向に、且つ両群の間隔が狭まるように移動する。
・・・（略）・・・
【０１０７】[数値実施例3 ]本数値実施例は実施形態3 の数値実施例であり、変倍比約1.9 の変倍光学系である。図19、20、21は夫々本実施例の広角端(W) 、中間位置(M) 、望遠端(T) での光学断面図及び光路図である。
【０１０８】
　　　　　　　広角端　　中間　　望遠端
　水平半画角　 27.2　　 21.6　　 14.4 
　垂直半画角　 18.9　　 14.6　　　9.7 
　絞り径　　　 2.00　　 2.00　　 2.00 
　 i　　 Yi　　 Zi(W)　 θi　　　Di　　Ndi　　　νdi
　　第1 光学素子B1
　 1　　0.00　　0.00　　0.00　 16.00　 1.51741　52.41　 屈折面
　 2　　0.00　 16.00　 30.00　 20.00　 1.51741　52.41　 反射面
　 3　-17.32　　6.00　 30.00　 16.00　 1.51741　52.41　 反射面
　 4　-17.32　 22.00　　0.00　　変数　 1　　　　　　　　屈折面
　
　 5　-17.32　 24.00　　0.00　　2.00　 1　　　　　　　　絞り
　　第2 光学素子B2
　 6　-17.32　 26.00　　0.00　　8.00　 1.51741　52.41　 屈折面
　 7　-17.32　 40.00　-30.00　 20.00　 1.51741　52.41　 反射面
　 8　　0.00　 30.00　-30.00　 16.00　 1.51741　52.41　 反射面
　 9　　0.00　 46.00　　0.00　　変数　 1　　　　　　　　屈折面
　　第3 光学素子B3( 凹レンズ) 
　10　　0.00　 62.06　　0.00　　2.80　 1.83480　42.72　 屈折面
　11　　0.00　 64.86　　0.00　　変数　 1　　　　　　　　屈折面
　12　　0.00　 84.15　　0.00　　　　　 1　　　　　　　　像面
　　　　　広角端　　中間　　望遠端
　D 4　　　 2.00　　 3.58　　 2.17
　D 9　　　16.06　　11.16　　 5.20
　D11　　　19.29　　34.31　　69.29
　D 1 〜 4面　Zi(M) = Zi(W) - 11.70　 Zi(T) = Zi(W) - 39.31 
　D 5 〜 9面　Zi(M) = Zi(W) - 10.12　 Zi(T) = Zi(W) - 39.14 
　D10 〜11面　Zi(M) = Zi(W) - 15.02　 Zi(T) = Zi(W) - 50.00 
　D12 面　　　Zi(M) = Zi(W)　　　　　 Zi(T) = Zi(W) 
　球面形状
　R 1 面　R1 = -70.000
　R 4 面　R4 =-1095.034 
　R 6 面　R6 =1694.773
　R 9 面　R9 = -30.368
　R10 面　R10= -39.973
　R11 面　R11= 142.109
　非球面形状
　R 2 面　C02= 1.14912e-02　C20= 6.26525e-03
・・・（略）・・・
　R 3 面　C02= 4.89298e-03　C20= 5.68104e-03
・・・（略）・・・
　R 7 面　C02=-5.69972e-03　C20= 3.42455e-04
・・・（略）・・・
　R 8 面　C02=-7.33488e-03　C20= 2.03905e-03
・・・（略）・・・
本数値実施例の構成を物体側から順に説明する。B1は第1 光学素子であり、1つの透明体の表面に第1 面R1 (凹面の入射屈折面) と偏心した曲面の内面反射面である第2 面R2、第3 面R3と第4 面R4 (殆ど平面の射出屈折面) を形成している。なお、第2 面R2は凸反射面として作用する。第5 面R5は絞り面である。B2は第2 光学素子であり、1 つの透明体の表面に第6 面R6 (殆ど平面の入射屈折面) と偏心した曲面の内面反射面である第7 面R7、第8 面R8と第9 面R9 (凸面の射出屈折面) を形成している。なお、第8 面R8は凸反射面として作用する。B3は第3 光学素子であり、第10面R10 と第11面R11 とで共軸の凹レンズを形成している。第12面R12 は最終像面であり、CCD 等の撮像媒体の撮像面が位置する。
【０１０９】本数値実施例の第1 光学素子B1第1 群を構成しており、絞りR5、第2 光学素子B2は第2 群を構成しており、第3 光学素子B3は第3 群を構成している以下、物体位置を無限遠としたときの結像作用について述べる。まず、物体からの光束は第1 光学素子B1に入射する。第1 光学素子B1では第1 面R1で屈折し、第2 面R2、第3 面R3で順次反射し、第4 面R4で屈折して、第1 光学素子B1を射出する。
【０１１０】次に光束は絞りである第5 面R5を通過した後、第2 光学素子B2に入射する。第2 光学素子B2では第6 面R6で屈折し、第7 面R7、第8 面R8で順次反射し、第9 面R9で屈折して、第2 光学素子B2を射出する。
【０１１１】次に光束は第3 光学素子B3に入射する。第3 光学素子B3では第10面R10 、第11面R11 で屈折して、第3 光学素子B3を射出する。
【０１１２】そして、第3 光学素子B3を射出した光束は第12面R12 上に最終的に結像する。
【０１１３】本数値実施例の第1 光学素子B1、第2 光学素子B2は夫々入射基準軸の方向と射出基準軸の方向とが同一方向のOff-Axial 光学素子である。
【０１１４】次に、各群の移動による変倍作用について説明する。本数値実施例は3 群構成で3 群夫々が独立に移動する3 群ズームである。変倍に際しては広角端から望遠端に向かって全ての群がZ マイナス方向に移動する。その際、第1 群と第2 群の間隔は一旦広がった後狭まり、又、第2 群と第3 群の間隔は狭まる。
・・・（略）・・・
【０１１８】以上の各数値実施例は、Off-Axial 光学素子と、基準軸光線に対し回転対称な面のみで構成される共軸光学素子を用いることにより、全体として光学部品点数の少ない変倍光学系を達成している。」
　
（４）「【０１２０】更に、
（３−１）　複数の反射面に適切な屈折力を与えて、これを偏心配置したOff-Axial 光学素子を用いることにより、変倍光学系内の光路を所望の形状に屈曲し、該変倍光学系の所定方向の全長を短縮する。
（３−２）　1 つの透明体の表面に適切な屈折力を有する2 つの入・射出屈折面と、適切な屈折力を有し、基準軸に対して偏心配置した複数の反射面を形成したOff-Axial 光学素子を用いることにより、諸収差及び偏心収差を全変倍域にわたって良好に補正する。
（３−３）　1 つの透明体の表面に2 つの屈折面と複数の曲面や平面の反射面を一体的に形成したOff-Axial 光学素子を用いることにより変倍光学系全体の小型化を図りつつ、反射面を使用する際にありがちな反射面の厳しい配置精度（組立精度）の問題を解決する。等の少なくとも１つの効果を有する変倍光学系及びそれを用いた撮像装置を達成する。」
　
　上記摘記事項から、変倍光学系において、変倍光学系内の絞り中心を通って最終像面の中心に至る基準軸光線としたとき、該基準軸光線に沿って物体側から順に、第１Off-Axial 光学素子、絞り、第２Off-Axial 光学素子、光学素子を配置している点が読み取れる。
　
　また、上記摘記事項（１）から、変倍光学系は、撮像媒体の撮像面上に物体の像を結像することが読み取れる。
　
　また、上記摘記事項（１）、（２）、（４）及び図１〜図５から、第１Off-Axial 光学素子、第２Off-Axial 光学素子の各２つのOff-Axial 反射面は、屈折力を有していることが読み取れる。
　
　また、上記摘記事項（１）〜（４）から、第１Off-Axial 光学素子、第２Off-Axial 光学素子の各２つのOff-Axial 反射面は非球面にて構成されていることが読み取れる。
　
　したがって、上記引用例１の上記摘記事項及び図面の記載からみて、引用例１には、
「物体の像を撮像面に結像する変倍光学系において、該変倍光学系内の絞り中心を通って最終像面の中心に至る基準軸光線としたとき、該基準軸光線に沿って物体側から順に、第１Off-Axial 光学素子、絞り、第２Off-Axial 光学素子、光学素子を配置し、
　該第１Off-Axial 光学素子は、2つの屈折面と、屈折力を有し、非球面で構成された2つのOff-Axial 反射面を一体的に形成した光学素子であり、
　該第２Off-Axial 光学素子は、2つの屈折面と、屈折力を有し、非球面で構成された2 つのOff-Axial 反射面を一体的に形成した光学素子である、変倍光学系。」の発明（以下、「引用例１発明」という。）の記載が認められる。
　
　
５．対比
　
　
　そこで、本願発明と引用例１発明とを対比すると、
　
　引用例１発明の「物体の像を撮像面に結像する変倍光学系」は、本願発明の「結像光学系」に相当する。
　
　引用例１発明の「第１Off-Axial 光学素子」は、絞りより物体側に配置されているので、引用例１発明の「第１Off-Axial 光学素子」に形成した「Off-Axial 反射面」は、本願発明の「絞りよりも物体側に配置された物体側反射面」に相当する。
　
　引用例１発明の「第２Off-Axial 光学素子」は、絞りより像側に配置されているので、引用例１発明の「第２Off-Axial 光学素子」に形成した「Off-Axial 反射面」は、本願発明の「絞りよりも像側に配置された像側反射面」に相当する。
　
　引用例１発明の「非球面で構成されたOff-Axial 反射面」は、屈折力を有しているので、反射時に光束にパワーを与えることは自明であるので、引用例１発明の「第１Off-Axial 光学素子」及び「第２Off-Axial 光学素子」に形成した「Off-Axial 反射面」と、本願発明の「物体側反射面」及び「像側反射面」とは共に、反射時に光束にパワーを与える非球面の点で一致する。
　
　
　したがって、両者は、
「物体像を形成する結像光学系において、前記結像光学系が、絞りと、絞りよりも物体側に配置された物体側反射面と、絞りよりも像側に配置された像側反射面とを含み、
　前記物体側反射面と前記像側反射面とが共に、反射時に光束にパワーを与える非球面にて構成された結像光学系。」
　で一致し、以下の各点で相違する。
　
相違点１：結像光学系の物体側反射面と像側反射面との間に、本願発明は、高周波成分をカットするローパスフィルターを設けているのに対して、引用例１発明は、ローパスフィルターを設けていない点。
　
相違点２：前記像側反射面と結像面のカバーガラスとの間に、本願発明は、光学素子を配置しないのに対して、引用例１発明は、光学素子を設けている点。
　
　
６．　判断
　
（相違点１）について
　絞り（開口絞り）の前後に光学素子をそれぞれ配置した結像光学系の当該絞り近傍に光学的ローパスフィルターを配置することは、従来周知の技術である（原査定の拒絶の理由に周知の技術として引用された特開昭６４−９１６号公報、特開平４−３０９９１２号公報等）。
　したがって、引用例１発明に、前記従来周知の技術を適用して、相違点１に係る発明特定事項を得ることは当業者が適宜なし得る事項にすぎない。
　
（相違点２）について
　引用例１発明の変倍光学系は、変倍作用のために、第１Off-Axial 光学素子、絞り、第２Off-Axial 光学素子の次に、変倍作用を担う光学素子を設けるものであるので、特に変倍作用を必要としない単焦点結像光学系を得る際に、前記変倍作用を担う光学素子を省き、第１Off-Axial 光学素子、絞り、第２Off-Axial 光学素子のみによって構成することは当業者にとって格別の困難性はなく、また、実際、結像光学系において、最も像側に配置された反射面を備える光学素子と最終像面との間に光学素子を配置しない構成とする技術も、従来周知の技術でもある（特開平９−３２９７４７号公報、特開昭６３−１４１１３号公報、特開平３−１９８００７号公報等）。
　してみると、引用例１発明に、前記従来周知の技術を適用することにより、相違点２に係る発明特定事項を得ることは当業者が適宜なし得る事項にすぎない。
　
　また、本願発明の作用、効果は、引用例１発明及び従来周知の技術から当業者が予測し得る範囲内のものであり、特に格別のものとはいえない。
　
　なお、上記（２）の本件補正のｃ．の補正に関して、一方の光学部材に、その先端に突起を有す得る取り付け片を設け、他方の光学部材には、前記突起を受け入れる嵌め込み部を有する取り付け片を設ける技術は、従来周知の技術であるので（特開平９−７３００５号公報、実願平１−６４６５９号（実開平３−５１１０号）のマイクロフィルム）、上記本件補正後の請求項１に係る発明についても、引用例１発明及び従来周知の技術から当業者が容易に発明をすることができたものである。
　
　
７．むすび
　
　以上のとおり、本願発明は、引用例１に記載された発明及び従来周知の技術に基づいて、当業者が容易に発明をすることができたものであり、特許法第２９条第２項の規定により特許を受けることができないから、他の請求項に係る発明について検討するまでもなく、本願は拒絶すべきものである。
　
　よって、結論のとおり審決する。